(57)【特許請求の範囲】
【請求項１】
クリアランスマップの作成方法において、クリアランスマップを作成すべき作成領域の全体の数値標高モデルの計測を行ない、それら計測値を第１の数値標高モデルファイルとして記憶し、評価対象の領域の数値標高モデルの計測を行ない、それら計測値を第２の数値標高モデルファイルとして記憶し、前記評価対象の領域内の所望の視点場の標高値を前記第２の数値標高モデルファイルに記憶された計測値から求め、該視点場から所定の方向にそって存在する前記作成領域内の所望の計算点の標高値を前記第１の数値標高モデルファイルに記憶された計測値から求め、前記視点場からの前記所定の方向における最大仰角に対応した前記計算点におけるクリアランスを、前記求められた視点場の標高、計算点の標高および最大仰角とから求め、このような処理を前記視点場を中心として前記作成領域内の所望の計算点のすべてにおいて行って、各計算点のクリアランスを求め、これら求められたクリアランスからクリアランスマップを作成することを特徴とするクリアランスマップの作成方法。
【請求項２】
前記作成領域の全体の数値標高モデルの計測および前記評価対象の領域の数値標高モデルの計測は、前記作成領域および評価対象の領域を含むステレオ航空写真を入手し、該ステレオ航空写真のＡＤ変換を行なうことにより、画像ファイルを作成して記憶し、該記憶された画像ファイルから３次元数値データ自動計測手法により行われる請求項１記載のクリアランスマップの作成方法。
【請求項３】
前記評価対象の領域内の所望の視点場は、複数個所設定され、各視点場を中心とした前記作成領域内の所望の計算点のすべてにおけるクリアランスを求め、同一計算点におけるクリアランスを比較し、もっとも小さい数値をその計算点のクリアランスとする請求項１または２記載のクリアランスマップの作成方法。
【請求項４】
前記評価対象の領域内の所望の視点場の標高値は、前記第２の数値標高モデルファイルに記憶された計測値に基づき重み付け内挿計算によって求められ、前記作成領域内の所望の計算点の標高値は、前記第１の数値標高モデルファイルに記憶された計測値に基づき重み付け内挿計算によって求められる請求項１または２または３記載のクリアランスマップの作成方法。
【請求項５】
前記クリアランスマップの作成は、前記画像ファイルを、前記第１の数値標高モデルファイルを利用して正射投影変換を行った写真地図画像または前記作成領域を含む地図を入手してＡＤ変換を施して作成した地図画像と、前記求められたクリアランスの数値から数段階の階級値に変換し、各階級値に対応する色を割り当てるかまたはクリアランスの数値からコンターを発生させて得た画像とを重ね合わせることによって行われる請求項１または２または３または４記載のクリアランスマップの作成方法。
【発明の詳細な説明】
【０００１】
【産業上の利用分野】
本発明は、借景保護等のために使用するクリアランスマップの作成方法に関するものである。
【０００２】
【従来の技術】
有名寺社の境内等からの周囲の眺望の中には、借景として昔から継承されてきているものがある。このような借景を有する寺社に隣接した地域において、例えば、高層ビル等の建設計画が発生した場合においては、このようなビルの建設により、その寺社が有する借景が壊されないようにすることが重要である。このような借景の保護または保存という目的から、これまで種々な景観評価の手法が開発され、使用されてきている。
【０００３】
従来の景観評価の手法としては、一次元的手法として断面作成、二次元的手法として、ある視点からの可視領域図を作成して評価するものがあった。また、模型の作成や、写真に建設予定の建物をはめ込むフォトモンタージュ等の手法も使用されており、近年では、コンピュータグラフィックを利用して、建設予定の建物の完成予想図等を作成する手法等も開発されてきている。
【０００４】
【発明が解決しようとする課題】
しかしながら、このような従来の手法は、建設予定の建物毎に断面図、可視領域図、模型、フォトモンタージュまたは完成予想図を作成しなければならず、手間の掛かるものであった。また、建設予定の建物等の内容が実際に決まらなければ、その評価を行ない難いものであった。その上、借景の保存が必要な寺社等のように、内部の重要な視点場から建設予定の建物が見えるか、見えないかを判断するという目的に限られている場合でも、その建設計画が発生する毎に予想図を作成しなければならないという問題があった。
【０００５】
近年においては、有名寺社の近隣に限らず、有名景勝地の近隣においても、大規模な開発が計画されることが多く、予めそれらの景観評価を行えるような手段が用意されているとするならば、それら開発に先だって、景観評価を手軽に行え、昔から継承されてきている借景等を壊すことなく間違った方向に開発されていくことを未然に防止することができるものと思われ、この種の景観評価手段の出現に対する要望は強いものがある。
【０００６】
本発明の目的は、このような要望に応えうるようなクリアランスマップを作成する方法を提供することである。
【０００７】
【課題を解決するための手段】
本発明によるクリアランスマップの作成方法は、クリアランスマップを作成すべき作成領域の全体の数値標高モデルの計測を行ない、それら計測値を第１の数値標高モデルファイルとして記憶し、評価対象の領域の数値標高モデルの計測を行ない、それら計測値を第２の数値標高モデルファイルとして記憶し、前記評価対象の領域内の所望の視点場の標高値を前記第２の数値標高モデルファイルに記憶された計測値から求め、該視点場から所定の方向にそって存在する前記作成領域内の所望の計算点の標高値を前記第１の数値標高モデルファイルに記憶された計測値から求め、前記視点場からの前記所定の方向における最大仰角に対応した前記計算点におけるクリアランスを、前記求められた視点場の標高、計算点の標高および最大仰角とから求め、このような処理を前記視点場を中心として前記作成領域内の所望の計算点のすべてにおいて行って、各計算点のクリアランスを求め、これら求められたクリアランスからクリアランスマップを作成することを特徴とする。
【０００８】
本発明の好ましい実施態様によれば、前記作成領域の全体の数値標高モデルの計測および前記評価対象の領域の数値標高モデルの計測は、前記作成領域および評価対象の領域を含むステレオ航空写真を入手し、該ステレオ航空写真のＡＤ変換を行なうことにより、画像ファイルを作成して記憶し、該記憶された画像ファイルから３次元数値データ自動計測手法により行われる。
【０００９】
また、本発明の実施態様によれば、前記評価対象の領域内の所望の視点場は、複数個所設定され、各視点場を中心とした前記作成領域内の所望の計算点のすべてにおけるクリアランスを求め、同一計算点におけるクリアランスを比較し、もっとも小さい数値をその計算点のクリアランスとする。
【００１０】
本発明の別の実施態様によれば、前記評価対象の領域内の所望の視点場の標高値は、前記第２の数値標高モデルファイルに記憶された計測値に基づき重み付け内挿計算によって求められ、前記作成領域内の所望の計算点の標高値は、前記第１の数値標高モデルファイルに記憶された計測値に基づき重み付け内挿計算によって求められる。
【００１１】
本発明のさらに別の実施態様によれば、前記クリアランスマップの作成は、前記画像ファイルを、前記第１の数値標高モデルファイルを利用して正射投影変換を行った写真地図画像または前記作成領域を含む地図を入手してＡＤ変換を施して作成した地図画像と、前記求められたクリアランスの数値から数段階の階級値に変換し、各階級値に対応する色を割り当てるかまたはクリアランスの数値からコンターを発生させて得た画像とを重ね合わせることによって行われる。
【００１２】
【実施例】
次に、添付図面に基づいて、本発明の実施例について本発明をより詳細に説明する。
【００１３】
添付図面の図１および図２は、本発明によって得られるクリアランスマップについて説明するための概略図である。先ず、これら図１および図２を参照して説明するに、ここでいうクリアランスマップとは、借景保護または保存等のために使用して有用なもので、数値標高モデル（以下、ＤＥＭという）を利用し、借景保存の必要な寺社等の内部の重要視点場から周囲を眺望した場合、任意の地点で何メートル以上の建物が建設されるとその視点場から見えるかを、コンターまたは色分け等によって表現した３次元的な評価図である。
【００１４】
図１は、借景を保存したい寺社内の重要視点場Ｐからある方向にそって取った寺社周辺の地形断面を略示している。この図において、参照符号１は、その地表面の輪郭を示しており、参照符号２は、その寺社を取り巻いている樹木のうちその方向に位置する１本の樹木を示しており、参照符号３は、寺社の周辺地域に存在する建物のうちその方向に位置する１つの建物を示している。また、参照符号αは、視点場Ｐから樹木２の頂部を越えて見上げたときの仰角を示している。例えば、Ａ点として示す場所に建物を立てるような場合、その建物が視点場Ｐから見えないようにするためには、その建物のＡ点での高さは、ＣA 以下でなければならず、ここで、視点場ＰについてのＡ点のクリアランスは、ＣA であるとする。また、既存の建物３の上のＢ点として示す場所に公告塔等を立てるような場合、その公告塔が視点場Ｐから見えないようにするためには、その公告塔のＢ点での高さは、ＣB 以下でなければならず、ここで、視点場ＰについてのＢ点のクリアランスは、ＣB であるとする。図２は、本発明によるクリアランスマップの一例を示すもので、多数の樹木２で囲まれた寺社内の×印で示す重要視点場に関する前述したようなクリアランスをコンターとして示しているものである。
【００１５】
次に、本発明のクリアランスマップの作成方法により、図２に略示するようなクリアランスマップを作成する一実施例について、特に、図３および図４を参照して説明する。図３は、本発明の方法を実施するのに使用する装置構成を概略的に示している。この装置は、本発明に従ったクリアランスマップ作成プログラム１１を組み込んだコンピュータシステム１０を備えており、このコンピュータシステム１０には、ＣＲＴディスプレイ１２、キーボード１３、ハードディスク１４およびプリンター１５等が関連付けられている。
【００１６】
図４は、図３に例示したようなコンピュータシステム１０を使用して、本発明により、クリアランスマップを作成するための手順例を示すフローチャートである。以下、この図４を参照しつつ、クリアランスマップ作成作業例について詳述する。先ず、ステップ２１にて、クリアランスマップを作成すべき作成領域を含むステレオ航空写真を入手する。次いで、ステップ２２にて、この入手したステレオ航空写真から、例えば、スキャナーによりＡＤ変換を行ない、画像ファイルとしてハードディスク１４に記憶させておく。
【００１７】
次に、ステップ２３にて、ステップ２２でハードディスク１４に記憶した画像ファイルから、作成領域全体の数値標高モデル（ＤＥＭ）の計測を行ない、第１の数値標高モデルファイル（第１のＤＥＭファイル）としてハードディスク１４に記憶させておく。このＤＥＭの計測は、種々な方法にて行われうるが、本出願人による特開平３−１６７６７８号公報に開示されているような３次元数値データ自動計測手法によって行うのが好ましい。また、評価対象の寺社等の内部およびその取り巻き隣接部については、樹木１本毎に相当する地上１ｍ程度の分解能で、第１のＤＥＭファイルを作成したのと同じ手法を用いてＤＥＭの計測を自動計測し、第２の数値標高モデルファイル（第２のＤＥＭファイル）としてハードディスク１４に記憶させておく。この実施例では、ここで、ステップ２２にてハードディスク１４に記憶させた画像ファイルを、第１のＤＥＭファイルを利用して正射投影変換を行って得られた写真地図画像を地図画像ファイルとしてハードディスク１４に記憶させておくか、作成領域を含む地図を別途入手してＡＤ変換を施して作成した地図画像を地図画像ファイルとしてハードディスク１４に記憶させておく。
【００１８】
そこで、コンピュータシステム１０に組み込まれたクリアランスマップ作成プログラム１１を起動する。そして、ステップ２４にて、評価対象の寺社内部における所望の視点場の位置を、キーボード１３等を介して指示する。ステップ２５にてクリアランス計算が行われるのであるが、この実施例のプログラム１１によれば、指示された視点場を端点とした半直線を想定し、その半直線上に等間隔に計算点が配置される。配置した計算点の位置が、評価を行う寺社等の内部またはその隣接部の場合は、ハードディスク１４に記憶された第２のＤＥＭファイルから、それ以外の場合は第１のＤＥＭファイルから計算点近傍の４点の標高値を読み出し、距離による重み付け内挿計算によって計算点の標高値を求める。近傍４点の標高値をＨ1 、Ｈ2 、Ｈ3 、Ｈ4 とし、計算点からの距離をＲ1 、Ｒ2 、Ｒ3 、Ｒ4 とすると、計算点の標高値は、以下の式により求められる。
0003682993.tif 000002
【００１９】
このようにして求めた標高値を利用して、視点場に近い方の計算点から順番に、視点場からの仰角と、クリアランス（あと何メートル付加すれば可視になるか）を計算する。クリアランスの値ΔＨは、現在注目している計算点の標高値をＨ、視点場からその計算点までの距離をｄ、その計算点よりも視点場側の（既に計算された）計算点の仰角のうち最大の仰角をαとすると、以下の式により求められる。
ΔＨ＝ｄ・tan α−Ｈ
【００２０】
このようなクリアランスΔＨの計算処理を、視点場を中心として等角度間隔で３６０度にわたる各方向について行ない、作成領域全体における所望の計算点についてのクリアランスを求める。評価対象の領域内に重要視点場が複数個存在する場合には、ステップ２６を通して、前述したような処理を複数回繰り返すことにより、各視点場について前述したような各計算点のクリアランスを求め、求められた同一計算点のクリアランスの数値を比較し、もっとも小さい数値をその計算点のクリアランスとする。
【００２１】
最後に、こうして求められた各計算点のクリアランスの数値からクリアランスマップを作成するのであるが、この実施例では、先ず、ステップ２７にて、ステップ２３にてハードディスク１４に記憶させておいた地図画像ファイルを使用して、コンピュータシステム１０のＣＲＴディスプレイ１２上に写真地図画像または地図画像を表示させる。次に、ステップ２８にて、前述したようにして求められたクリアランスの数値から数段階の階級値に変換し、各階級値に対応する色を割り当てるか、または、クリアランスの数値からコンターを発生させるかして、クリアランスを表現し、ＣＲＴディスプレイ１２上に表示された写真地図画像または地図画像の上に重ねてこれを表示する。ステップ２９にて、これらクリアランス画像と写真地図画像または地図画像とを合成して、クリアランスマップを作成して、ステップ３０にて、プリンター１５からその合成されたクリアランスマップをプリントアウトすることができる。
【００２２】
【発明の効果】
本発明によれば、所定の場所に関するクリアランスマップを、事前に作成しておくことも容易にできるので、借景保存または保護の必要な寺社等の周辺に建物の建設計画が発生した場合でも、内部の重要視点場からその建物が見えるか見えないかを迅速に判断することができる。
【図面の簡単な説明】
【図１】借景を保存したい寺社内の重要視点場からある方向にそって取った寺社周辺の地形断面を略示する図である。
【図２】本発明によるクリアランスマップの一例を示す概略図である。
【図３】本発明の方法を実施するのに使用する装置構成を概略的に示す図である。
【図４】図３に例示したようなコンピュータシステムを使用して、本発明により、クリアランスマップを作成するための手順例を示す図である。
【符号の説明】
１  地表面輪郭
２  樹木
３  建物
１０  コンピュータシステム
１１  クリアランスマップ作成プログラム
１２  ＣＲＴディスプレイ
１３  キーボード
１４  ハードディスク
１５  プリンター
【図１】
0003682993.tif 000003
【図２】
0003682993.tif 000004
【図３】
0003682993.tif 000005
【図４】
0003682993.tif 000006